(57)【要約】【課題】記録再生装置への装填および記録再生装置からの取り出しの際のエラーの発生を防止し得るカートリッジケースを提供する。【解決手段】側板の端面同士を突合させた状態で互いに嵌合可能な上ケース１２および下ケース１１で構成されて内部に単一のテープリールが収容されると共にテープリールに巻回された磁気テープを引き出すための引き出し口２ａが側板２２，４２の一部を切り欠いて形成されたケース本体２と、ケース本体２に配設されて引き出し口２ａを開閉するスライドドア７とを備え、下ケース１１における側板２２の端面には、両ケース１１，１２の嵌合状態において突合する上ケース１２における側板４２の端面に向けて突出する凸部３２が形成され、上ケース１２における側板４２の端面には、両ケース１１，１２の嵌合状態において凸部３２が嵌め込まれる凹部５２が形成されている。【選択図】図６
2010073234.tif 000002
【特許請求の範囲】
【請求項１】
主板および当該主板の外周部に立設された側板をそれぞれ有して当該側板の端面同士を突合させた状態で互いに嵌合可能な上ケースおよび下ケースで構成されて内部に単一のテープリールが収容されると共に当該テープリールに巻回された磁気テープを引き出すための引き出し口が当該側板の一部を切り欠いて形成されたケース本体と、前記一部が切り欠かれた側板および前記主板における当該側板に対向する位置に立設された対向板によって形成されたドア収容部内をスライド可能に前記ケース本体に配設されて前記引き出し口を開閉するスライドドアとを備えた情報媒体用のカートリッジケースであって、
前記両ケースの一方における前記ドア収容部を構成する前記側板の端面には、当該両ケースの嵌合状態において突合する当該両ケースの他方における前記側板の端面に向けて突出する凸部が形成され、
前記両ケースの他方における前記ドア収容部を構成する前記側板の端面には、当該両ケースの嵌合状態において前記凸部が嵌め込まれる凹部が形成されているカートリッジケース。
【請求項２】
前記凸部は、当該凸部が形成された前記側板の長さ方向に沿って連続する筋状に形成され、
前記凹部は、当該凹部が形成された前記側板の長さ方向に沿って連続する溝状に形成されている請求項１記載のカートリッジケース。
【請求項３】
前記凸部は、当該凸部が形成された前記側板の前記端面における所定部位から当該端面における前記引き出し口側の端部まで形成され、
前記凹部は、当該凹部が形成された前記側板の前記端面における所定部位から当該端面における前記引き出し口側の端部まで形成されている請求項２記載のカートリッジケース。
【請求項４】
請求項１から３のいずれかに記載のカートリッジケースと、前記磁気テープが巻回されたテープリールとを備えている情報媒体。
【発明の詳細な説明】
【技術分野】
【０００１】
本発明は、単一のテープリールが収容される情報媒体用のカートリッジケース、およびそのカートリッジケースを備えた情報媒体に関するものである。
【背景技術】
【０００２】
この種の情報媒体として、特開平１１−３２８９２２号公報に開示された磁気テープカートリッジが知られている。この磁気テープカートリッジは、上下ケースで構成されるケース本体と、ケース本体の内部に配設されて磁気テープが巻回（巻装）された単一のリールとを備えて構成されている。この場合、ケース本体の側壁には、磁気テープを引き出すための引き出し口（開口部）が設けられている。また、側壁と側壁の内面に対向配置されたガイド壁との間には、引き出し口を開閉するシャッタがスライド自在に配設されている。この磁気テープカートリッジを記録再生装置（テープドライブ）に装填するときには、シャッタの端部に設けられている受部がテープドライブ内の突起に当接してシャッタがスライドさせられる。これにより、引き出し口が開放されて、記録再生装置による磁気テープの引き出しが可能となる。
【特許文献１】特開平１１−３２８９２２号公報（第５−６頁、第１図）
【発明の開示】
【発明が解決しようとする課題】
【０００３】
ところが、従来の磁気テープカートリッジには、以下の問題点がある。すなわち、このこの種の磁気テープカートリッジ（例えば、図１５に示す磁気テープカートリッジ２０１ように）を記録再生装置に装填したり、記録再生装置からこの磁気テープカートリッジ２０１を取り出す際には、図１５に示すように、引き出し口が設けられている側壁（例えば、上ケース２１２の側壁２４２）にローディング装置のコンタクトローラー１２１ａを当接させると共にその側壁２４２に対向する他の側壁を押圧部材で押圧し、その状態でコンタクトローラー１２１ａを回転させることで、磁気テープカートリッジ２０１を移動させている。一方、従来の磁気テープカートリッジ２０１では、同図に示すように、下ケース２１１の側壁２２２の端面と上ケース２１２の側壁２４２の端面とを突合させた状態で、各ケース２１１，２１２をねじ止めすることによってケース本体が構成されている。この場合、従来の磁気テープカートリッジ２０１では、一般的に、各ケース２１１，２１２の側壁２２２，２４２の端面同士が連結されていないため、押圧部材によって磁気テープカートリッジ２０１がコンタクトローラー１２１ａ側に押し付けられることで、同図に示すように、側壁２４２に当接しているコンタクトローラー１２１ａによって側壁２４２が相対的に押圧されて、側壁２４２が、内側に撓む（倒れ込む）ことがある。なお、図１５では、下ケース２１１を上側に配置すると共に上ケース２１２を下側に配置した状態で図示している。
【０００４】
この場合、引き出し口が設けられている側壁２２２，２４２では、コンタクトローラー１２１ａによる押圧に対する剛性が他の側壁よりも低いため、その分撓みが大きくなることとなる。このため、従来の磁気テープカートリッジ２０１には、記録再生装置への装填および記録再生装置からの取り出しの際の側壁２４２の内側への撓みによってコンタクトローラー１２１ａとの間の摩擦力が低下して、磁気テープカートリッジ２０１の移動が困難となり、これに起因して記録再生装置にエラーが発生するおそれがある。また、図１５に示すように、側壁２４２の内側への撓みによってシャッタ２０７と側壁２４２とが接触して、シャッタ２０７のスライドが困難となり、これに起因して記録再生装置にエラーが発生するおそれもある。この場合、例えば、突合させた下ケース２１１および上ケース２１２の各側壁２２２，２４２の端面同士を融着によって連結することにより、側壁２４２の撓みを防止する方法も考えられる。しかしながら、この方法では、融着の際に溶融した樹脂が側壁２２２，２４２の内側や外側にはみ出ることがあり、この際には、内側にはみ出た樹脂とシャッタ２０７との摩擦抵抗によってシャッタ２０７の開閉が困難となったり、外側にはみ出た樹脂とコンタクトローラー１２１ａとの摩擦抵抗によって磁気テープカートリッジ２０１の移動が困難となったりして、記録再生装置にエラーが発生するおそれがあるという問題点が依然として存在する。
【０００５】
本発明は、かかる問題点を解決すべくなされたものであり、記録再生装置への装填および記録再生装置からの取り出しの際のエラーの発生を防止し得るカートリッジケースおよび情報媒体を提供することを主目的とする。
【課題を解決するための手段】
【０００６】
上記目的を達成すべく本発明に係るカートリッジケースは、主板および当該主板の外周部に立設された側板をそれぞれ有して当該側板の端面同士を突合させた状態で互いに嵌合可能な上ケースおよび下ケースで構成されて内部に単一のテープリールが収容されると共に当該テープリールに巻回された磁気テープを引き出すための引き出し口が当該側板の一部を切り欠いて形成されたケース本体と、前記一部が切り欠かれた側板および前記主板における当該側板に対向する位置に立設された対向板によって形成されたドア収容部内をスライド可能に前記ケース本体に配設されて前記引き出し口を開閉するスライドドアとを備えた情報媒体用のカートリッジケースであって、前記両ケースの一方における前記ドア収容部を構成する前記側板の端面には、当該両ケースの嵌合状態において突合する当該両ケースの他方における前記側板の端面に向けて突出する凸部が形成され、前記両ケースの他方における前記ドア収容部を構成する前記側板の端面には、当該両ケースの嵌合状態において前記凸部が嵌め込まれる凹部が形成されている。
【０００７】
この場合、前記凸部が形成された前記側板の長さ方向に沿って連続する筋状に当該凸部を形成し、前記凹部が形成された前記側板の長さ方向に沿って連続する溝状に当該凹部を形成することができる。
【０００８】
また、前記凸部が形成された前記側板の前記端面における所定部位から当該端面における前記引き出し口側の端部まで当該凸部を形成し、前記凹部が形成された前記側板の前記端面における所定部位から当該端面における前記引き出し口側の端部まで当該凹部を形成することができる。
【０００９】
また、本発明に係る情報媒体は、上記のカートリッジケースと、前記磁気テープが巻回されたテープリールとを備えている。
【発明の効果】
【００１０】
本発明に係るカートリッジケースおよび情報媒体では、下ケースおよび上ケースの一方におけるドア収容部を構成する側板の端面に、両ケースの嵌合状態において突合する両ケースの他方における側板の端面に向けて突出する凸部が形成され、両ケースの他方におけるドア収容部を構成する側板の端面に、両ケースの嵌合状態において凸部が嵌め込まれる凹部が形成されている。したがって、このカートリッジケースおよび情報媒体では、下ケースおよび上ケースの嵌合状態において、凸部が凹部に嵌め込まれて、下ケースにおけるドア収容部を構成する側板と、上ケースにおけるドア収容部を構成する側板とが凸部および凹部を介して互いに連結される。このため、このカートリッジケースおよび情報媒体によれば、凸部および凹部を備えていない構成（このような構成のカートリッジケースおよびテープカートリッジ）と比較して、両ケースにおけるドア収容部を構成する各側板の押圧力に対する剛性を十分に高めることができる結果、記録再生装置におけるローディング用のローラーによって押圧された際のドア収容部を構成する各側板の撓みを少なく抑えることができる。したがって、このカートリッジケースおよび情報媒体によれば、記録再生装置のローラーとドア収容部を構成する各側板との間の摩擦力が低下して情報媒体の移動が困難となったり、ドア収容部を構成する各側板とスライドドアとの接触に起因してスライドドアのスライドが困難となったりする事態を確実に防止することができる結果、情報媒体の装填および取り出しの際に、記録再生装置にエラーが発生する事態を確実に防止することができる。
【００１１】
また、本発明に係るカートリッジケースおよび情報媒体によれば、側板の長さ方向に沿って連続する筋状に凸部を形成し、側板の長さ方向に沿って連続する溝状に凹部を形成したことにより、例えば、凸部を柱状に形成し凹部を穴状に形成する構成（このような構成のカートリッジケースおよびテープカートリッジ）と比較して、ドア収容部を構成する各側板における凸部および凹部を介して互いに連結されている部分の長さが長い分、押圧力に対する各側板の剛性をさらに高めることができる。
【００１２】
また、本発明に係るカートリッジケースおよび情報媒体では、側板の端面における所定部位からその端面における引き出し口側の端部まで凸部が形成され、側板の端面における所定部位からその端面における引き出し口側の端部まで凹部が形成されている。このため、このカートリッジケースおよび情報媒体によれば、引き出し口側の端部まで凸部および凹部が形成されていない構成（このような構成のカートリッジケースおよびテープカートリッジ）と比較して、記録再生装置におけるローディング用のローラーによって押圧された際のドア収容部を構成する各側板の撓みを一層少なく抑えることができる。
【発明を実施するための最良の形態】
【００１３】
以下、本発明に係るカートリッジケースおよび情報媒体の最良の形態について、添付図面を参照して説明する。
【００１４】
最初に、本発明に係る情報媒体の一例としてのテープカートリッジ１の構成について、図面を参照して説明する。図１に示すテープカートリッジ１は、一例として、電子計算機に記録されたデータをバックアップするために用いられる１リール（単一リール）タイプのカートリッジ式の情報媒体であって、同図に示すように、ケース本体２、テープリール３、ブレーキ解除板４、ロック部材５、スプリング６、スライドドア７、およびテープリール３に巻回された磁気テープＴを備えて構成されている。この場合、テープリール３および磁気テープＴを除く各構成要素によって本発明に係るカートリッジケースが構成される。
【００１５】
ケース本体２は、図１〜図３に示すように、互いに嵌合可能な下ケース１１および上ケース１２を備えて、両ケース１１，１２の嵌合状態において形成される内部のリール収容部２ｃにテープリール３を収容可能に構成されている。なお、下ケース１１が本発明における両ケースの一方に相当し、上ケース１２がする本発明における両ケースの他方に相当する。
【００１６】
下ケース１１は、図２に示すように、主板２１、４つの側板２２〜２５、３つの区画板２６〜２８、および４つの柱状突起部２９を備えて、平面視略正方形の浅皿状に構成されている。主板２１は、略矩形に構成されると共に、記録再生装置１００におけるドライブ装置１０３（図９参照）の駆動用シャフト（図示せず）を挿通させるための円形の開口部２１ａがその中央部に形成されている。側板２２〜２５は、主板２１の外周部に立設されている。この場合、各側板２２〜２５は、下ケース１１および上ケース１２が嵌合される際に各々の端面２２ａ〜２５ａが後述する上ケース１２の側板４２〜４５における各々の端面４２ａ〜４５ａと互いに突合する。
【００１７】
また、側板２２には、テープリール３に巻回された磁気テープＴを外部に引き出すための引き出し口２ａ（図６，７参照）を構成する切り欠き３１が形成されている。さらに、側板２２の端面２２ａには、図４に示すように、下ケース１１および上ケース１２の嵌合状態において突合する上ケース１２の側板４２の端面４２ａに向けて（同図における上方に向けて）突出する凸部３２が形成されている。この場合、凸部３２は、側板２２の端面２２ａにおける所定部位から端面２２ａにおける切り欠き３１（引き出し口２ａ）側の端部まで、側板２２の長さ方向に沿って所定の長さだけ連続する筋状に形成されている。また、凸部３２は、同図および図８に示すように、突出方向の先端部に向かうに従って厚みが徐々に薄くなるように（例えば、断面が、楕円状、放物線状、先端が丸められた二等辺三角形状等の形状となるように）形成されている。なお、図６〜図８、および後述する図１１，１４では、下ケース１１を上側に配置すると共に上ケース１２を下側に配置した状態で図示している。
【００１８】
区画板２６〜２８は、図２に示すように、主板２１における側板２２〜２５の内側の部位に立設されて、リール収容部２ｃの一部を構成するリール収容領域１１ａを区画する。また、各区画板２６〜２８は、下ケース１１および上ケース１２が嵌合される際に各々の端面２６ａ〜２８ａが後述する上ケース１２の区画板４６〜４８における各々の端面４６ａ〜４８ａと互いに突合または近接する。この場合、図４に示すように、区画板２６の一部（本発明における対向板に相当し、以下、この部分を「対向部２６ｂ」ともいう）は、側板２２の内側において側板２２に対して平行に対向するように形成されており、この対向部２６ｂと側板２２における切り欠き３１に隣接する部位（以下、この部分を「先端部２２ｂ」ともいう）とによって、スライドドア７が収容されるドア収容部２ｂ（図６，７参照）の一部が形成される。各柱状突起部２９は、主板２１における４つの隅部（または、隅部近傍の部位）に立設されている。また、各柱状突起部２９には、嵌合状態の下ケース１１および上ケース１２をねじ止めするためのねじ穴が中心部に形成されている。
【００１９】
上ケース１２は、図３に示すように、主板４１、４つの側板４２〜４５、３つの区画板４６〜４８、および４つの柱状突起部４９を備えて、平面視略正方形の浅皿状に構成されている。主板４１は、略矩形に構成されると共に、中央部にロック部材５の回転を規制すると共にロック部材５を上下動可能に保持する４本のガイド突起４１ａが形成されている。側板４２〜４５は、主板４１の外周部に立設されている。
【００２０】
また、側板４２には、下ケース１１の切り欠き３１と共に引き出し口２ａ（図６，７参照）を構成する切り欠き５１が形成されている。さらに、側板４２の端面４２ａには、図５に示すように、下ケース１１および上ケース１２の嵌合状態において下ケース１１における側板２２の端面２２ａに形成された凸部３２が嵌め込まれる（嵌め込み可能な）凹部５２が形成されている。この場合、凹部５２は、側板４２の端面４２ａにおける所定部位から端面４２ａにおける切り欠き３１（引き出し口２ａ）側の端部まで、側板４２の長さ方向に沿って所定の長さだけ連続する溝状に形成されている。また、凹部５２は、同図および図８に示すように、凸部３２を嵌め込み可能な形状、つまり断面が、楕円状、放物線状、先端が丸められた二等辺三角形状等の形状となるように形成されている。
【００２１】
区画板４６〜４８は、図３に示すように、主板４１における側板４２〜４５の内側の部位に立設されて、下ケース１１のリール収容領域１１ａと共にリール収容部２ｃを構成するリール収容領域１２ａを区画する。この場合、図５に示すように、区画板４６の一部（本発明における対向板に相当し、以下、この部分を「対向部４６ｂ」ともいう）は、側板４２の内側において側板４２に対して平行に対向するように形成されており、この対向部４６ｂと側板４２における切り欠き５１に隣接する部位（以下、この部位を「先端部４２ｂ」）とによってドア収容部２ｂの一部が形成される。各柱状突起部４９は、主板４１における４つの隅部（または、隅部近傍の部位）に立設されている。また、各柱状突起部４９には、嵌合状態の下ケース１１および上ケース１２をねじ止めするためのねじ穴が中心部に形成されている。
【００２２】
テープリール３は、図１に示すように、ハブ６１、下フランジ６２、上フランジ６３および金属板６４を備えて構成されている。ハブ６１は、上端部側が開口し、下端部側が閉塞する有底円筒状に形成されている。下フランジ６２はハブ６１の下端部に一体的に形成され、上フランジ６３はハブ６１の上端部に取り付けられている。金属板６４は、円板状に形成されて、ハブ６１の下端面に取り付けられている。以上のように構成されたテープリール３は、両フランジ６２，６３で挟まれたハブ６１の外周面に磁気テープＴを巻回した状態でケース本体２内のリール収容部２ｃに回転可能に収容される。
【００２３】
ブレーキ解除板４は、テープリール３におけるハブ６１の底部に配設されて、ロック部材５によるテープリール３のロックの解除を行う。ロック部材５は、スプリング６によってハブ６１の底部に向けて付勢された状態で、上ケース１２の主板４１とブレーキ解除板４との間に配設されて、テープカートリッジ１の非使用時において、テープリール３を回転不可状態にロックする。スプリング６は、図１に示すように、コイルスプリングで構成されて、上ケース１２とロック部材５との間に配設されて、テープリール３側に向けてロック部材５を付勢する。
【００２４】
スライドドア７は、図１，６に示すように、引き出し口２ａを閉塞可能な薄板状に形成されて、引き出し口２ａを閉塞する向き（図６に示す矢印Ａの向き）にスプリング７１によって付勢されている。また、スライドドア７は、テープカートリッジ１が記録再生装置１００のドライブ装置１０３（図９参照）に装填されるときに、スプリング７１の付勢力に抗して図７に示す矢印Ｂの向きにスライドさせられて引き出し口２ａを開放する。この場合、スライドドア７は、同図に示すように、引き出し口２ａを開放した状態において、ドア収容部２ｂに収容される。また、スライドドア７は、テープカートリッジ１が記録再生装置１００のドライブ装置１０３から取り出されるときに、スプリング７１の付勢力によって上記した矢印Ａの向きにスライドさせられて引き出し口２ａを閉塞する。
【００２５】
次に、テープカートリッジ１の組立方法の一例について、図面を参照して説明する。
【００２６】
まず、下ケース１１に各構成要素を組み付ける。具体的には、図１に示すように、磁気テープＴが巻回されたテープリール３を下ケース１１のリール収容領域１１ａに組み付けた後に、ブレーキ解除板４をテープリール３の底部に組み付ける。次に、ロック部材５をブレーキ解除板４の上に組み付けて、さらにその上にスプリング６を組み付ける。
【００２７】
次いで、各構成要素を組み付けた（配設した）下ケース１１の各側板２２〜２５における各々の端面２２ａ〜２５ａと上ケース１２の側板４２〜４５における各々の端面４２ａ〜４５ａとが互いに突合し、かつ各区画板２６〜２８における各々の端面２６ａ〜２８ａと上ケース１２の区画板４６〜４８における各々の端面４６ａ〜４８ａとが互いに突合または近接するようにして、下ケース１１と上ケース１２とを嵌合させる。この際に、図６，８に示すように、下ケース１１の側板２２に形成されている凸部３２が上ケース１２の側板４２に形成されている凹部５２に嵌め込まれる。また、下ケース１１における柱状突起部２９の先端部と上ケース１２における柱状突起部４９の先端部とが突合（係合）する。
【００２８】
続いて、下ケース１１における柱状突起部２９のねじ穴に固定用ねじをねじ込むことにより、両ケース１１，１２をねじ止めする。以上により、テープカートリッジ１の組立が完了する。
【００２９】
次に、記録再生装置１００を用いてテープカートリッジ１に対するデータの記録やテープカートリッジ１に記録されているデータの再生を行う際の各構成要素の動きについて、図面を参照して説明する。
【００３０】
このテープカートリッジ１が記録再生装置１００から取り出されている状態、つまり非使用時においては、ロック部材５が、スプリング６によって付勢されてブレーキ解除板４を押圧しつつテープリール３のハブ６１の底部側に移動させられて、テープリール３がロック部材５によって回転不可状態にロックされている。また、図６に示すように、スライドドア７が、スプリング７１によって矢印Ａの向き付勢されて引き出し口２ａを閉塞している。
【００３１】
一方、テープカートリッジ１に対するデータの記録やテープカートリッジ１に記録されているデータの再生を行う際には、図９に示すように、先端側（側板２４，４４側）が記録再生装置１００のローダー装置１０２に向くようにして、テープカートリッジ１を記録再生装置１００のマガジン１０１にセットして、次いで、記録再生装置１００に対してデータの記録や再生の実行を指示する。これに応じて、マガジン１０１のイジェクト機構（図示せず）がテープカートリッジ１の先端側をローダー装置１０２に向けて押し出す。この際に、図１０に示すように、ローダー装置１０２に押し出されたテープカートリッジ１の先端側が、マガジン１０１側の移動開始位置に位置しているローダー装置１０２のローダー機構１２１におけるコンタクトローラー１２１ａ，１２１ａと、バネ１２３によって付勢されているローダー装置１０２の押圧部材１２２とによって挟み込まれる。この場合、図８，１１に示すように、コンタクトローラー１２１ａ，１２１ａは、テープカートリッジ１における上ケース１２の側板４２に当接している。
【００３２】
続いて、コンタクトローラー１２１ａ，１２１ａが図１０に示す矢印Ｃの向きに回転する。この際に、押圧部材１２２によってテープカートリッジ１がコンタクトローラー１２１ａ，１２１ａ側に押し付けられることで、側板４２がコンタクトローラー１２１ａ，１２１ａによって相対的に押圧され、その押圧力によって生じる摩擦力により、テープカートリッジ１がマガジン１０１から取り出される（移動させられる）。この場合、図８，１１に示すように、このテープカートリッジ１では、下ケース１１における側板２２の端面２２ａに形成されている凸部３２が上ケース１２における側板４２の端面４２ａに形成されている凹部５２に嵌め込まれて、側板２２と側板４２とが凸部３２および凹部５２を介して互いに連結されている。このため、このテープカートリッジ１では、凸部３２および凹部５２を備えていないテープカートリッジ（磁気テープカートリッジ）と比較して、押圧力に対する側板２２，４２の剛性が高められてる。したがって、コンタクトローラー１２１ａ，１２１ａによって押圧されている側板４２の撓みが少なく抑えられる。この結果、側板４２の撓みによって側板４２とコンタクトローラー１２１ａ，１２１ａとの間の摩擦力が低下してテープカートリッジ１の移動が困難となることに起因してローダー装置１０２にエラーが発生するという事態が確実に防止されている。
【００３３】
次いで、図１０に示すように、コンタクトローラー１２１ａ，１２１ａが側板４２の長さ方向（図における左右方向）の中央部に位置するまでテープカートリッジ１を移動させた（取り出した）時点で、コンタクトローラー１２１ａ，１２１ａがその回転を停止する。続いて、図１２に示すように、ローダー機構１２１の移動ローラー１２１ｂが矢印Ｃの向きに回転することにより、ローダー機構１２１が記録再生装置１００のドライブ装置１０３側に移動する。これにより、押圧部材１２２とコンタクトローラー１２１ａ，１２１ａとによって挟み込まれた状態のテープカートリッジ１が、ドライブ装置１０３側に移動させられる。次いで、同図に示すように、ローダー機構１２１がドライブ装置１０３側の移動終了位置に位置した時点で、移動ローラー１２１ｂがその回転を停止する。
【００３４】
続いて、図１３に示すように、コンタクトローラー１２１ａ，１２１ａが同図に示す矢印Ｃの向きに回転する。この際に、側板４２に対するコンタクトローラー１２１ａ，１２１ａの押圧力によって生じる両者の間の摩擦力により、テープカートリッジ１がドライブ装置１０３に装填される（押し込まれる）。また、図１４に示すように、テープカートリッジ１がドライブ装置１０３に装填される際に、ドライブ装置１０３に配設された開放用突起１３１がスライドドア７の突起７ａに係合する。このため、同図に示すように、スライドドア７が、スプリング７１の付勢力に抗して矢印Ｂの向きにスライドさせられて、引き出し口２ａに収容され、これによって引き出し口２ａが開放される。
【００３５】
この場合、このテープカートリッジ１では、上記したように、下ケース１１の側板２２に形成されている凸部３２、および上ケース１２の側板４２に形成されている凹部５２の存在により、コンタクトローラー１２１ａ，１２１ａによって押圧されている側板４２の撓みが少なく抑えられる。この結果、側板４２とスライドドア７との接触によってスライドドア７のスライドが困難となることに起因してテープカートリッジ１が装填される際にローダー装置１０２やドライブ装置１０３にエラーが発生するという事態が確実に防止されている。
【００３６】
次いで、ドライブ装置１０３が図外の駆動用シャフトの先端部に向けてテープカートリッジ１を移動させることにより、ブレーキ解除板４が、駆動用シャフトによって押圧される。この際に、ロック部材５が、ブレーキ解除板４によって上ケース１２の主板４１側に向けて押し込まれることにより、テープリール３のロック状態が解除される。また、磁力によって駆動用シャフトの先端部にテープリール３の金属板６４が吸着されることにより、駆動用シャフトとテープリール３とがチャッキングされる。
【００３７】
続いて、ドライブ装置１０３が、テープリール３に巻回されている磁気テープＴを引き出し口２ａからケース本体２の外部に引き出す。次いで、記録再生装置１００内のテープリール（図示せず）が磁気テープＴを巻回すると共に、ドライブ装置１０３の駆動用シャフトが磁気テープＴの引き出し速度に応じた回転速度で回転し、これに伴って、テープリール３が回転する。続いて、ドライブ装置１０３が磁気テープＴに対するデータの記録や磁気テープＴに記録されているデータの再生を実行する。
【００３８】
一方、データの記録や再生が終了した際には、ドライブ装置１０３の駆動用シャフトが磁気テープＴを巻き戻す方向に回転することにより、磁気テープＴがテープリール３に巻き戻される。次いで、磁気テープＴの巻き戻しが終了した際には、ドライブ装置１０３が、駆動用シャフトの先端部からテープカートリッジ１を離間させる。この際に、スプリング６によって付勢されているロック部材５がブレーキ解除板４を押圧しつつハブ６１の底部側に移動させられて、テープリール３がロックされる。
【００３９】
続いて、ドライブ装置１０３のイジェクト機構（図示せず）がテープカートリッジ１の後端側（側板２５，４５側）をローダー装置１０２に向けて押し出す。この際に、テープカートリッジ１の後端側が、ローダー機構１２１のコンタクトローラー１２１ａ，１２１ａと押圧部材１２２とによって挟み込まれる。次いで、コンタクトローラー１２１ａ，１２１ａが上記した矢印Ｃ（図１３参照）の向きとは逆向きに回転する。この際に、側板４２とコンタクトローラー１２１ａ，１２１ａとの間の摩擦力により、テープカートリッジ１がドライブ装置１０３から取り出される。また、テープカートリッジ１がドライブ装置１０３から取り出される際に、図６に示すように、スライドドア７が、スプリング７１の付勢力によって矢印Ａの向きにスライドさせられて、引き出し口２ａが閉塞される。
【００４０】
この場合、このテープカートリッジ１では、上記したように、下ケース１１の側板２２に形成されている凸部３２、および上ケース１２の側板４２に形成されている凹部５２の存在により、コンタクトローラー１２１ａ，１２１ａによって押圧されている側板４２の撓みが少なく抑えられる。このため、側板４２とスライドドア７との接触によってスライドドア７のスライドが困難となることに起因してテープカートリッジ１が取り出される際にローダー装置１０２やドライブ装置１０３にエラーが発生する事態が確実に防止されている。
【００４１】
続いて、コンタクトローラー１２１ａ，１２１ａが側板４２の長さ方向の中央部に位置するまでテープカートリッジ１を移動させた（取り出した）時点で、コンタクトローラー１２１ａ，１２１ａがその回転を停止し、次いで、移動ローラー１２１ｂが上記した矢印Ｃの向きとは逆向きに回転してローダー機構１２１がマガジン１０１側に移動することより、テープカートリッジ１が、マガジン１０１側に移動させられる。この場合においても、下ケース１１の側板２２に形成されている凸部３２、および上ケース１２の側板４２に形成されている凹部５２の存在により、コンタクトローラー１２１ａ，１２１ａによって押圧されている側板４２の撓みが少なく抑えられる結果、側板４２とコンタクトローラー１２１ａ，１２１ａとの間の摩擦力が低下してテープカートリッジ１の移動が困難となることに起因してローダー装置１０２にエラーが発生するという事態が確実に防止されている。
【００４２】
続いて、ローダー機構１２１が移動開始位置に位置した時点で、移動ローラー１２１ｂがその回転を停止し、次いで、コンタクトローラー１２１ａ，１２１ａが上記した矢印Ｃの向きとは逆向きに回転する。この際に、側板４２に対するコンタクトローラー１２１ａ，１２１ａの押圧力によって生じる両者の間の摩擦力により、テープカートリッジ１がマガジン１０１内にセットされる（押し込まれる）。
【００４３】
このように、このカートリッジケースおよびテープカートリッジ１では、下ケース１１および上ケース１２の嵌合状態において突合する上ケース１２における側板４２の端面４２ａに向けて突出する凸部３２が下ケース１１における側板２２の端面２２ａに形成され、両ケース１１，１２の嵌合状態において凸部３２を嵌め込み可能な凹部５２が上ケース１２における側板４２の端面４２ａに形成されている。したがって、このカートリッジケースおよびテープカートリッジ１では、下ケース１１および上ケース１２の嵌合状態において、側板２２の凸部３２が側板４２の凹部５２に嵌め込まれて、側板２２の先端部２２ｂと側板４２の先端部４２ｂとが凸部３２および凹部５２を介して互いに連結される。このため、このカートリッジケースおよびテープカートリッジ１によれば、凸部３２および凹部５２を備えていない構成（このような構成のカートリッジケースおよびテープカートリッジ）と比較して、押圧力に対する側板２２，４２の剛性を十分に高めることができる結果、記録再生装置１００のコンタクトローラー１２１ａ，１２１ａによって押圧された際の側板４２の撓みを少なく抑えることができる。したがって、このカートリッジケースおよびテープカートリッジ１によれば、コンタクトローラー１２１ａ，１２１ａと側板４２との間の摩擦力が低下してテープカートリッジ１の移動が困難となったり、側板４２とスライドドア７との接触に起因してスライドドア７のスライドが困難となったりする事態を確実に防止することができる結果、ドライブ装置１０３へのテープカートリッジ１の装填、およびドライブ装置１０３からのテープカートリッジ１の取り出しの際にドライブ装置１０３にエラーが発生する事態を確実に防止することができる。
【００４４】
また、このカートリッジケースおよびテープカートリッジ１によれば、凸部３２を側板２２の長さ方向に沿って連続する筋状に形成し、凹部５２を側板の長さ方向に沿う溝状に形成したことにより、例えば、凸部３２を柱状に形成し、凹部５２を穴状に形成する構成（このような構成のカートリッジケースおよびテープカートリッジ）と比較して、凸部３２および凹部５２を介して互いに連結されている先端部２２ｂおよび先端部４２ｂの長さが長い分、押圧力に対する側板２２，４２の剛性をさらに高めることができる。
【００４５】
また、このカートリッジケースおよびテープカートリッジ１では、側板２２の端面２２ａにおける所定部位から端面２２ａにおける引き出し口２ａ側の端部まで凸部３２が形成され、側板４２の端面４２ａにおける所定部位から端面４２ａにおける引き出し口２ａ側の端部まで凹部５２が形成されている。このため、このカートリッジケースおよびテープカートリッジ１によれば、引き出し口２ａ側の端部まで凸部３２および凹部５２が形成されていない構成（このような構成のカートリッジケースおよびテープカートリッジ）と比較して、記録再生装置１００のコンタクトローラー１２１ａ，１２１ａによって押圧された際の側板２２の先端部２２ｂおよび側板４２の先端部４２ｂの撓みを一層少なく抑えることができる。
【００４６】
なお、本発明は、上記の構成に限定されない。例えば、下ケース１１の側板２２に凸部３２を形成すると共に上ケース１２の側板４２に凹部５２を形成した例について上記したが、上ケース１２の側板４２に凸部３２を形成すると共に下ケース１１の側板２２に凹部５２を形成する構成を採用することもできる。また、先端部に向かうに従って厚みが薄くなる筋状に凸部３２を形成した例について上記したが、凸部３２の形状はこれに限定されない。例えば、基端部と先端部との厚みが同じ断面矩形の筋状に凸部３２を形成することもできる。また、凸部３２を柱状（角柱状および円柱状）に形成し、その凸部３２を側板２２の端面２２ａに１つまたは複数形成した構成を採用することもできる。また、凹部５２についても、上記した各形状の凸部３２を嵌め込み可能にその形状を任意に変更することができる。
【図面の簡単な説明】
【００４７】
【図１】テープカートリッジ１の分解斜視図である。
【図２】下ケース１１の斜視図である。
【図３】上ケース１２の斜視図である。
【図４】下ケース１１における側板２２の構成を説明するための説明図である。
【図５】上ケース１２における側板４２の構成を説明するための説明図である。
【図６】引き出し口２ａが閉塞されているテープカートリッジ１の側面図である。
【図７】引き出し口２ａが開放されているテープカートリッジ１の側面図である。
【図８】側板２２，４２を中心とするテープカートリッジ１の断面図である。
【図９】テープカートリッジ１を使用方法を説明するための第１の説明図である。
【図１０】テープカートリッジ１を使用方法を説明するための第２の説明図である。
【図１１】テープカートリッジ１を使用方法を説明するための第３の説明図である。
【図１２】テープカートリッジ１を使用方法を説明するための第４の説明図である。
【図１３】テープカートリッジ１を使用方法を説明するための第５の説明図である。
【図１４】テープカートリッジ１を使用方法を説明するための第６の説明図である。
【図１５】従来の磁気テープカートリッジ２０１の断面図である。
【符号の説明】
【００４８】
１  テープカートリッジ
２  ケース本体
２ａ  引き出し口
２ｂ  ドア収容部
２ｃ  リール収容部
３  テープリール
７  スライドドア
１１  下ケース
１２  上ケース
２１  主板
２２〜２５  側板
２２ａ  端面
２２ｂ  先端部
２６  区画板
２６ｂ  対向部
３１  切り欠き
３２  凸部
４１  主板
４２〜４５  側板
４２ａ  端面
４２ｂ  先端部
４６  区画板
４６ｂ  対向部
５２  凹部
Ｔ  磁気テープ
【図１】
2010073234.tif 000003
【図２】
2010073234.tif 000004
【図３】
2010073234.tif 000005
【図４】
2010073234.tif 000006
【図５】
2010073234.tif 000007
【図６】
2010073234.tif 000008
【図７】
2010073234.tif 000009
【図８】
2010073234.tif 000010
【図９】
2010073234.tif 000011
【図１０】
2010073234.tif 000012
【図１１】
2010073234.tif 000013
【図１２】
2010073234.tif 000014
【図１３】
2010073234.tif 000015
【図１４】
2010073234.tif 000016
【図１５】
2010073234.tif 000017